(57)【要約】    【構成】  分岐サドル継手１０の分岐部本体１８の内面には、第１ねじ部２２が形成され、分岐部本体１８内には、第１ねじ部２２との螺合によって分岐部本体１８内を上下動可能にプラグ部品２６が設けられ、このプラグ部品２６の上端部には、止水部品３６が嵌合される。分岐部本体１８の上端開口３４の止水を行うときには、止水部品３６を分岐部本体１８の上端開口３４の周縁部に押し当てるようにする。そして、分岐部本体１８の外面上部にキャップ４６を装着し、そのキャップ４６によって分岐部本体１８の上端開口３４を塞ぐ。    【効果】  簡単な作業で分岐部本体の上端開口に確実な止水性を確保することができる。【選択図】図１
2014214839.tif 000002
【特許請求の範囲】
【請求項１】
合成樹脂製の本管から分岐を取り出すために前記本管の外面に電気融着接合される分岐サドル継手であって、
分岐孔が形成されたサドル部、
前記分岐孔の周縁部から立ち上がる短管状の分岐部本体、
前記分岐部本体の内面に形成される第１ねじ部、
前記第１ねじ部に螺合される第２ねじ部を有し、前記第１ねじ部との螺合によって前記分岐部本体内に上下動可能に設けられるプラグ部品、および
前記プラグ部品の上端部に嵌合され、前記分岐部本体の上端開口の周縁部に押し当てられる止水部品を備える、分岐サドル継手。
【請求項２】
前記止水部材が少なくとも前記上端開口の内周縁に押し当てられる、請求項１記載の分岐サドル継手。
【請求項３】
前記止水部品は、前記プラグ部品に外嵌されかつ内面に前記第２ねじ部に螺合される第３ねじ部が形成されたリング部を含み、少なくとも前記上端開口の開口端に押し当てられる、請求項１または２記載の分岐サドル継手。
【請求項４】
前記止水部品は、前記リング部から下方に突き出して前記分岐部本体の内面と前記プラグ部品との間に挿入される挿入部をさらに含み、少なくとも前記上端開口の開口端と内面とに亘る範囲に押し当てられる、請求項３記載の分岐サドル継手。
【請求項５】
前記プラグ部品は、前記第２ねじ部が外面に形成されたねじ本体と、前記ねじ本体の下部に設けられた穿孔カッタとを有する穿孔プラグである、請求項１ないし４のいずれかに記載の分岐サドル継手。
【請求項６】
請求項１ないし５のいずれかに記載の分岐サドル継手を用いて、合成樹脂製の本管から分岐を取り出す施工方法であって、
（ａ）サドル部を前記本管の外面に電気融着接合させるステップ、
（ｂ）分岐部本体内を下降させたプラグ部品によって前記本管を穿孔するステップ、
（ｃ）プラグ部品の上端部に止水部品を嵌合させるとともに、前記止水部品を前記分岐部本体の上端開口の周縁部に押し当てて前記上端開口を止水するステップ、および
（ｄ）前記ステップ（ｃ）の後、前記分岐部本体の上端開口をキャップによって塞ぐステップを含む、施工方法。
【請求項７】
前記ステップ（ｃ）は、
（ｃ１）前記ステップ（ｂ）で本管を穿孔したプラグ部品をその上端部が前記分岐部本体の上端開口よりも上方に達する高さ位置まで上昇させるステップ、
（ｃ２）前記プラグ部品の上端部に前記止水部品を嵌合させるステップ、および
（ｃ３）前記プラグ部品を下降させることによって前記止水部品を前記上端開口の周縁部に押し当てるステップを含む、請求項６記載の施工方法。
【請求項８】
請求項１ないし５のいずれかに記載の分岐サドル継手が設置された管路。
【発明の詳細な説明】
【技術分野】
【０００１】
この発明は、分岐サドル継手、その施工方法および管路に関し、特にたとえば、合成樹脂製の本管に分岐管を接続するために本管の外面に電気融着接合される、分岐サドル継手、その施工方法および管路に関する。
【背景技術】
【０００２】
従来、合成樹脂製の水道本管から宅内に水道水を引き込む際などに、既に使用中の水道本管内を通る水を停止させることなく分岐を取り出す（つまり、不断水分岐する）ための方法として、ＥＦサドル継手などの分岐サドル継手を使用した方法が公知である。
【０００３】
特許文献１の分岐サドル継手（樹脂製サービスチー）は、水道本管の外面に融着されるサドル部と、サドル部から突出する分岐部本体と、分岐部本体から側方に突出する分岐管接続部とを有しており、分岐部本体内には、穿孔治具が装着されている。そして、水道本管から分岐管を取り出す際には、サドル部内に埋設した電熱線に通電してサドル部内面と水道本管外面とを融着接合した後、穿孔治具を用いて水道本管に分岐孔を穿孔する。そして、分岐孔の穿孔が終わったら、穿孔治具を分岐管接続部よりも上方に引き上げるとともに、分岐部本体の上端開口に閉塞用キャップを装着し、水道本管側から分岐部本体内に流入した水が分岐部本体の上端開口から漏水することを防止するようにしている。
【０００４】
また、特許文献２の分岐サドル継手（サドル型分岐継手）では、サドル部から立ち上がった分岐管部（分岐部本体）内に、本管側から分岐部本体側に流入した水が枝管側に流入することを防止するためのシールプラグが内蔵されている。シールプラグの外面には、分岐管部本体の内面の雌ねじ筒部に螺合する雄ねじ部が形成されるとともに、Ｏリング（第１Ｏリング）が装着されている。そして、この第１Ｏリングを分岐管部の内面に設けられた非ねじ部分のシール筒部の内面に圧接させることによって、本管側から分岐部本体内に入り込んだ水の漏水を防止するようにしている。
【特許文献１】特開平５−１７７５９７号［Ｂ２６Ｆ  １／００］
【特許文献２】特開２０１０−２１００８４号［Ｆ１６Ｌ  ４１／０６］
【発明の概要】
【発明が解決しようとする課題】
【０００５】
特許文献１の分岐サドル継手では、分岐部本体の上端開口に閉塞用キャップを装着して止水を行っているものの、不断水分岐を行う場合には、本管を穿孔した後に内水圧によって閉塞用キャップを持ち上げる力が作用するため、閉塞用キャップを適切に装着し、分岐部本体の上端開口を止水することが難しかった。
【０００６】
また、特許文献２の分岐サドル継手では、シールプラグの第１Ｏリングによって分岐部本体との間を止水するようにしているので、不断水分岐を行う場合にも、内水圧などを受けずに分岐部本体の上端開口に閉塞用キャップを装着することができる。しかしながら、シールプラグを上下動させることによって、雌ねじ筒部と接触した第１Ｏリングが損傷してしまうことがあるので、その場合には止水性が低下してしまう。また、第１Ｏリングが雌ねじ筒部と接触する際に生じる抵抗力によってシールプラグを分岐部本体内で上下動させるときの操作力が大きくなってしまうので、作業性に懸念があった。
【０００７】
それゆえに、この発明の主たる目的は、新規な、分岐サドル継手、その施工方法および管路を提供することである。
【０００８】
この発明の他の目的は、簡単な作業によって止水性を確保することができる、分岐サドル継手、その施工方法および管路を提供することである。
【課題を解決するための手段】
【０００９】
第１の発明は、合成樹脂製の本管から分岐を取り出すために本管の外面に電気融着接合される分岐サドル継手であって、分岐孔が形成されたサドル部、分岐孔の周縁部から立ち上がる短管状の分岐部本体、分岐部本体の内面に形成される第１ねじ部、第１ねじ部に螺合される第２ねじ部を有し、第１ねじ部との螺合によって分岐部本体内に上下動可能に設けられるプラグ部品、およびプラグ部品の上端部に嵌合され、分岐部本体の上端開口の周縁部に押し当てられる止水部品を備える、分岐サドル継手である。
【００１０】
第１の発明では、分岐サドル継手は、本管の外面に電気融着されるサドル部を備えている。サドル部の分岐孔の周縁部には、サドル部の径方向外側に向けて立ち上がる短管状の分岐部本体が形成され、分岐部本体の内面には、第１ねじ部が形成される。分岐部本体内には、第１ねじ部との螺合によって分岐部本体内を上下動可能にプラグ部品が設けられる。分岐部本体の上端開口の止水を行うときには、プラグ部品の上端部に止水部品を嵌合し、その止水部品を分岐部本体の上端開口の周縁部に押し当てる。そして、分岐部本体の外面上部にキャップを装着して、そのキャップによって分岐部本体の上端開口を塞ぐ。
【００１１】
第１の発明によれば、止水部品によって分岐部本体の上端開口を１次止水した状態でキャップを装着して２次止水を行うことができるようになるので、分岐部本体の上端開口に確実な止水性を確保することができる。
【００１２】
また、プラグ部品に嵌合させた止水部品を分岐部本体の上端開口の周縁部に押し当てるだけの簡単な作業を行うだけで適切に止水を行うことができるので、作業性に優れる。
【００１３】
第２の発明は、第１の発明に従属し、止水部材が少なくとも上端開口の内周縁に押し当てられる。
【００１４】
第２の発明では、分岐部本体の上端開口の止水を行うときに、プラグ部品の上端部に嵌合した止水部品を分岐部本体の上端開口の内周縁を含んだ範囲に押し当てるようにしているので、止水部品と分岐部本体の上端開口との間隙を適切に閉塞させることができる。
【００１５】
第３の発明は、第２の発明に従属し、止水部品は、プラグ部品に外嵌されかつ内面に第２ねじ部に螺合される第３ねじ部が形成されたリング部を含み、少なくとも上端開口の開口端に押し当てられる。
【００１６】
第３の発明では、止水部品の本体は、プラグ部品に外嵌させるリング部を有しており、リング部の内面には、プラグ部品の第２ねじ部に螺合される第３ねじ部が形成される。そして、分岐部本体の上端開口の止水を行うときには、プラグ部品の上端部に螺合した止水部品のたとえばリング部の下面が分岐部本体の上端開口の開口端に押し当てられる。
【００１７】
第４の発明は、第３の発明に従属し、止水部品は、リング部から下方に突き出して分岐部本体の内面とプラグ部品との間に挿入される挿入部をさらに含み、少なくとも上端開口の開口端と内面とに亘る範囲に押し当てられる。
【００１８】
第４の発明では、止水部品の本体は、上下に連続するリング部と挿入部とを有しており、それらの内面には、プラグ部品の第２ねじ部に螺合される第３ねじ部が形成される。そして、分岐部本体の上端開口の止水を行うときには、プラグ部品の上端部に螺合した止水部品のたとえばリング部の下面が分岐部本体の上端開口の開口端に押し当てられるとともに、挿入部が分岐部本体の内面とプラグ部品との間に挿入される。
【００１９】
第４の発明によれば、止水部品と分岐部本体の上端開口との間隙を閉塞させておくことに加えて、挿入部によって分岐部本体の内面とプラグ部品との間隙も閉塞させることができるので、分岐部本体の上端開口により確実な止水性を確保することができるようになる。
【００２０】
第５の発明は、第１ないし４のいずれかの発明に従属し、プラグ部品は、第２ねじ部が外面に形成されたねじ本体と、ねじ本体の下部に設けられた穿孔カッタとを有する穿孔プラグである。
【００２１】
第５の発明では、プラグ部品は、本管に分岐サドル継手側と連通する開口を穿孔するための穿孔プラグであって、たとえば金属製のカッタ本体と合成樹脂製のねじ本体とによって構成される。
【００２２】
第６の発明は、第１ないし５のいずれかの発明の分岐サドル継手を用いて、合成樹脂製の本管から分岐を取り出す施工方法であって、（ａ）サドル部を本管の外面に電気融着接合させるステップ、（ｂ）分岐部本体内を下降させたプラグ部品によって本管を穿孔するステップ、（ｃ）プラグ部品の上端部に止水部品を嵌合させるとともに、止水部品を分岐部本体の上端開口の周縁部に押し当てて上端開口を止水するステップ、および（ｄ）ステップ（ｃ）の後、分岐部本体の上端開口をキャップによって塞ぐステップを含む、施工方法である。
【００２３】
第６の発明では、ステップ（ａ）において、分岐サドル継手のサドル部を本管の外面に電気融着接合させ、ステップ（ｂ）において、分岐部本体内を下降させたプラグ部品によって本管を穿孔する。そして、ステップ（ｃ）において、プラグ部品の上端部に止水部品を嵌合させるとともに、その止水部品を分岐部本体の上端開口の周縁部に押し当てる。最後に、ステップ（ｄ）において、分岐部本体の上端開口をキャップによって塞ぐ。
【００２４】
第６の発明によれば、第１の発明と同様の効果を奏する。
【００２５】
第７の発明は、第６の発明に従属し、ステップ（ｃ）は、（ｃ１）ステップ（ｂ）で本管を穿孔したプラグ部品をその上端部が分岐部本体の上端開口よりも上方に達する高さ位置まで上昇させるステップ、（ｃ２）プラグ部品の上端部に止水部品を嵌合させるステップ、および（ｃ３）プラグ部品を下降させることによって止水部品を上端開口の周縁部に押し当てるステップを含む。
【００２６】
第７の発明では、止水部品を用いて分岐部本体の上端開口の止水を行うときに、先ず、ステップ（ｃ１）において、本管を穿孔したプラグ部品をその上端部が分岐部本体の上端開口よりも上方に達する高さ位置まで上昇させ、ステップ（ｃ２）において、そのプラグ部品の上端部に止水部品を嵌合させ、そして、ステップ（ｃ３）において、プラグ部品を下降させることによって止水部品を上端開口の周縁部に押し当てる。
【００２７】
第８の発明は、第１ないし５のいずれかの発明の分岐サドル継手が設置された管路である。
【００２８】
この発明によれば、止水部品によって分岐部本体の上端開口を止水しつつ、キャップによって分岐部本体の上端開口を水密的に塞ぐようにすることで、分岐部本体の上端開口に確実な止水性を確保することができる。
【００２９】
この発明の上述の目的，その他の目的，特徴および利点は、図面を参照して行う以下の実施例の詳細な説明から一層明らかとなろう。
【図面の簡単な説明】
【００３０】
【図１】この発明の一実施例の分岐サドル継手を本管に取り付けた様子を示す図解図である。
【図２】図１の分岐サドル継手の要部を示す拡大図である。
【図３】図２の分岐サドル継手の止水部品を示す斜視図である。
【図４】図２の分岐サドル継手の止水部品を示す断面図である。
【図５】図１の分岐サドル継手において、止水部品によって分岐部本体の上端開口を止水する様子を示す図解図であり、（ａ）は、プラグ部品を上方向に移動させた様子を示し、（ｂ）は、プラグ部品に止水部品を取り付けた様子を示し、（ｃ）は、止水部品を分岐部本体の上端開口の周縁部に押し付けた様子を示す。
【図６】この発明の他の一実施例の分岐サドル継手の要部を示す拡大図である。
【図７】図６の分岐サドル継手の止水部品を示す断面図である。
【図８】図６の分岐サドル継手の止水部品を増し締めした様子を示す図解図である。
【図９】図６の分岐サドル継手の止水部品を増し締めした様子を示す図解図である。
【図１０】この発明のさらに他の一実施例の分岐サドル継手の要部を示す拡大図である。
【図１１】図１０の分岐サドル継手の止水部品を示す断面図である。
【図１２】この発明のさらに他の一実施例の分岐サドル継手の要部を示す拡大図である。
【図１３】この発明のさらに他の一実施例の分岐サドル継手の要部を示す拡大図である。
【図１４】図１３の分岐サドル継手の止水部品を示す斜視図である。
【図１５】図１３の分岐サドル継手の止水部品を示す断面図である。
【図１６】図１３の止水部品によって分岐部本体の上端開口を止水する様子を示す図解図であり、（ａ）は、プラグ部品に止水部品を取り付けた様子を示し、（ｂ）は、止水部品を分岐部本体の上端開口の周縁部に押し付けた様子を示す。
【図１７】この発明のさらに他の一実施例の分岐サドル継手の要部を示す拡大図である。
【図１８】図１７の止水部品によって分岐部本体の上端開口を止水する様子を示す図解図であり、（ａ）は、プラグ部品に止水部品を取り付けた様子を示し、（ｂ）は、止水部品を分岐部本体の上端開口の周縁部に押し付けた様子を示す。
【図１９】この発明のさらに他の一実施例の分岐サドル継手の止水部品を示す斜視図である。
【図２０】図１９の止水部品によって分岐部本体の上端開口を止水する様子を示す図解図であり、（ａ）は、プラグ部品に止水部品を取り付けた様子を示し、（ｂ）は、止水部品を分岐部本体の上端開口の周縁部に押し付けた様子を示す。
【発明を実施するための形態】
【００３１】
図１を参照して、この発明の一実施例である分岐サドル継手１０は、ポリエチレン等の熱融着可能な合成樹脂によって形成される本管１００から分岐管１０２を取り出す際に本管１００の外面に電気融着されるＥＦ（エレクトロフュージョン）サドル継手であり、本管１００の外面に沿うように湾曲して形成されるサドル部１２を備えている。
【００３２】
なお、本管１００は水道管やガス管や下水管などであってよいが、ここでは、水道配水管の実施例を示す。本管１００の管径は、たとえば１００ｍｍである。
【００３３】
図１と共に図２を適宜参照して、サドル部１２は、本管１００と同種の熱融着可能な合成樹脂によって形成され、この実施例では、サドル部１２の素材としてポリエチレンが使用される。サドル部１２は、本管１００の外径曲率とほぼ同じ内径曲率を有する半円筒状の板状体であり、その中央部には、平面視略真円形の分岐孔１４が形成される。一例として、サドル部１２の軸方向（本管１００の管軸方向）の長さは、たとえば１６０ｍｍであり、その厚さは、たとえば１０ｍｍである。
【００３４】
サドル部１２の裏面側、すなわち本管１００との接合面側には、分岐孔１４を中心にして渦巻き状または葛折り状などの任意の形状に配置された電熱線１６が設けられている。電熱線１６の両端部は、サドル部１２の表面から突出して形成される電源接続端子（図示せず）に接続されており、この電源接続端子を電源に接続して電熱線１６に電流を流すことによって、サドル部１２と本管１００との接合面が溶融される。
【００３５】
また、分岐孔１４の周縁部には、サドル部１２の径方向外側（つまり、図１でいう上側）に向けて立ち上がる短管状の分岐部本体１８が一体的に形成される。分岐部本体１８の径は、たとえば５５ｍｍである。分岐部本体１８の外面には、側方に突出する短管状の分岐管接続部２０が一体的に形成され、この分岐管接続部２０に継手などを介して上述した分岐管１０２が接続される。
【００３６】
分岐部本体１８の内面には、上端部および下端部を除いてその全体に雌ねじ部（第１ねじ部）２２が形成されている。そして、分岐部本体１８内面の上端部は、第１ねじ部２２から段差状に少し拡径して窪んでおり、そこに非ねじ部２４が形成されている。非ねじ部２４は、ねじが切られていない所謂ストレート部分であり、第１ねじ部２２の上側に連続して形成される。
【００３７】
さらに、分岐部本体１８内には、プラグ部品２６が設けられている。プラグ部品２６は、本管１００に分岐サドル継手１０側と連通する開口１０４を穿孔するための穿孔プラグであって、金属製のカッタ本体２８および合成樹脂製のねじ本体３０を含んでいる。
【００３８】
カッタ本体２８は、ステンレス鋼（たとえばＳＵＳ３０４）等の金属によって円筒状に形成され、その下端部は下方に向かって鋭利となる形状に形成されている。カッタ本体２８の上部は、ねじ本体３０の壁内部に埋め込まれており、たとえばカッタ本体２８およびねじ本体３０は、インサート成形等によって一体化されている。ねじ本体３０は、ポリアセタール（ＰＯＭ）等の合成樹脂によって円筒状に形成され、その外面の全体には、分岐部本体１８の第１ねじ部２２と螺合する雄ねじ部（第２ねじ部）３２が形成されている。
【００３９】
そして、ねじ本体３０の第２ねじ部３２を分岐部本体１８の第１ねじ部２２に螺合させることによって、プラグ部品２６が分岐部本体１８内を上下方向（つまり、分岐部本体１８の軸方向）に移動可能にされている。さらに、ねじ本体３０の上端部には、回転工具と係合する六角穴などの回転工具係合部（図示せず）が形成されている。
【００４０】
このようなプラグ部品２６は、詳細は後に説明するように、本管１００に開口１０４を穿孔するときに分岐部本体１８内を下向きに螺進（下降）され、開口１０４を穿孔した後に、本管１００から分岐管１０２に流れ込む水と干渉しないように分岐部本体１８内を上向きに螺進（上昇）される。そして、分岐部本体１８の上端開口３４（の開口端）よりも上方において、プラグ部品２６の上端部に分岐部本体１８の上端開口３４からの漏水を防止（つまり、上端開口３４を止水）するための止水部品３６が取り付けられる。
【００４１】
図２と共に図３および図４を適宜参照して、止水部品３６は、上端開口３４を止水（１次止水）することを目的として設けられるものであり、プラグ部品２６の上端部に外嵌される本体３８を含み、詳細は後に説明するように、分岐部本体１８の上端開口３４を止水するときに当該上端開口３４の周縁部に押し付けられる。
【００４２】
本体３８は、鉄やＳＵＳ（ステンレス）などの金属または合成樹脂によって、全体として短円筒状に形成され、この実施例では、本体３８の素材としてＳＵＳが採用される。本体３８は、上下に連続するリング部３８ａおよび挿入部３８ｂからなり、それらの内面には、プラグ部品２６の第２ねじ部３２と螺合する雌ねじ部（第３ねじ部）４０が形成されている。そして、本体３８内面の第３ねじ部４０をプラグ部品２６の第２ねじ部３２に螺合させることによって、止水部品３６がプラグ部品２６の上端部の外面に設けられる。
【００４３】
リング部３８ａは、断面矩形のドーナツリング状に形成され、その外径は、たとえば４０ｍｍであり、その上下方向の長さ（高さ）は、たとえば１０ｍｍである。また、挿入部３８ｂは、リング部３８ａの下側に一体的に形成され、リング部３８ａの外面から縮径して短円筒状に下方に突き出す形状を有している。挿入部３８ｂの外径は、上述した分岐部本体１８の非ねじ部２４の径とほぼ等しくなるように設定され、たとえば３４ｍｍであり、その高さは、非ねじ部２４の上下方向の長さよりも小さくなるように設定され、たとえば３ｍｍである。
【００４４】
さらにまた、図２に戻って、分岐部本体１８の外面上部には、雄ねじ部４２が形成され、この雄ねじ部４２よりも上方の分岐部本体１８の外面には、ゴム輪４４が装着される。さらに、分岐部本体１８の上端部には、上端開口３４を止水（２次止水）するためのキャップ４６が装着される。
【００４５】
キャップ４６は、側壁４６ａおよび天面４６ｂによって有頂円筒状に形成され、分岐部本体１８の上端開口３４との間に止水部品３６を介在させた状態で上端開口３４を塞ぐ。側壁４６ａの上下方向の長さは、たとえば４５ｍｍであり、その外径は、たとえば７５ｍｍである。側壁４６ａの内面下部には、分岐部本体１８の上端部外面の雄ねじ部４２と螺合する雌ねじ部４８が形成されている。そして、側壁４６ａ内面の第３ねじ部４０を分岐部本体１８の雄ねじ部４２に螺合させることによって、キャップ４６が分岐部本体１８の上端部の外面に設けられる。また、側壁４６ａの内面上部は、雌ねじ部４８から段差状に少し縮径して突き出しており、そこに非ねじ部５０が形成されている。非ねじ部５０は、ねじが切られていない所謂ストレート部分であり、雌ねじ部４８と上下に連続して形成され、分岐部本体１８の上端部へキャップ４６を適切に装着したときにゴム輪４４に押し当てられる。
【００４６】
以下、図１と共に図５を適宜参照して、このような分岐サドル継手１０を用いて、不断水分岐によって本管１００から分岐を取り出す施工方法について説明する。
【００４７】
先ず、本管１００の所望の位置に分岐サドル継手１０を載置し、クランプ等の固定具（図示せず）を使用して、本管１００外面とサドル部１２内面とが密着するように固定する。そして、サドル部１２内に埋設した電熱線１６に通電して発熱させ、本管１００外面とサドル部１２内面とを融着接合する。
【００４８】
それから、分岐サドル継手１０の分岐管接続部２０に分岐管１０２を接続する。
【００４９】
次に、プラグ部品２６のねじ本体３０の回動工具係合部に回動工具（図示せず）の端部を挿し込んで、回転工具によってプラグ部品２６を回転させることにより、プラグ部品２６を下降させ、プラグ部品２６のカッタ本体４６によって本管１００を穿孔していく。カッタ本体４６が本管１００内面まで到達し、本管１００に開口１０４を穿孔すると、分岐孔１４、分岐部本体１８および分岐管接続部２０を介して本管１００内と分岐管１０２内とが連通し、本管１００内を流れる流体が分岐管１０２内に供給されるようになる。
【００５０】
それから、本管１００から分岐部本体１８内に流れ込んで分岐管１０２（分岐管接続部２０）に流入する水にプラグ部品２６が干渉しないように、回動工具によってねじ本体３０を逆回転させることによってプラグ部品２６を上昇させる。
【００５１】
そして、図５（ａ）に示すように、プラグ部品２６をその上端部が分岐部本体１８の上端開口３４（の開口端）よりも上方に達する高さ位置まで上昇させ、次に、図５（ｂ）に示すように、プラグ部品２６の上端部の外面に止水部品３６を取り付ける。すなわち、止水部品３６の本体３８内にプラグ部品２６のねじ本体３０を差し込んで、第３ねじ部４０および第２ねじ部３２を螺合させることによって、プラグ部品２６の上端部の所定位置に止水部品３６を固定的に嵌合（外嵌）させる。たとえば、この実施例では、本体３８の上端面とプラグ部品２６のねじ本体３０の上端面とが面一となる高さ位置に止水部品３６を取り付けるようにしているが、特にその高さ位置に限定される必要はない。
【００５２】
次に、止水部品３６を固定的に（つまり、上下方向に移動しないように）嵌合させた状態で回転工具によってプラグ部品２６を回転させることにより、プラグ部品２６を下降させる。そして、図５（ｃ）に示すように、プラグ部品２６に嵌合させた止水部品３６を分岐部本体１８の上端開口３４の周縁部に押し当てる。すなわち、分岐部本体１８の上端開口３４の開口端に止水部品３６（の本体３８）のリング部３８ａの下面を押し当てるとともに、分岐部本体１８内面の非ねじ部２４とプラグ部品２６との間に挿入部３８ｂを挿入（たとえば、無理入れ）して、挿入部３８ｂを非ねじ部２４に押し当てる。
【００５３】
このとき、止水部品３６の本体３８を分岐部本体１８の上端開口３４の開口端と内面（非ねじ部２４）とに亘る範囲に押し当てたことによって、止水部品３６と分岐部本体１８の上端開口３４との間隙が閉塞される。また、プラグ部品２６と止水部品３６との間隙は第２ねじ部３２および第３ねじ部４０の螺合（ねじ同士の噛み合い）によって元々閉塞されているので、分岐部本体１８の上端開口３４が止水（１次止水）されることとなる。
【００５４】
ただし、ここで言う、“止水”とは、長期間に亘って止水性能を維持することを要求したものではなく、分岐部本体１８の上端開口３４にキャップ４６を装着して止水（２次止水）を行うまで上端開口３４を仮止水できる程度のものであれば十分である。
【００５５】
また、プラグ部品２６の内部に流れ込んだ水については、本管１００を穿孔した時に本管１００から切り離された開口片がそのままカッタ本体４６内に残留して、カッタ本体４６内を封止していることにより、プラグ部品２６の内部を通過できずにそこで止水される。
【００５６】
それから、分岐部本体１８の上端開口３４を止水部品３６によって止水した状態で、分岐部本体２０の上端開口３４をキャップ４６によって水密的に塞ぐ。すなわち、キャップ４６の側壁４６ａの内面下部の雌ねじ部４８を分岐部本体１８の外面上部の雄ねじ部４２に螺合させて、キャップ４６の非ねじ部５０と分岐部本体１８との間隙がゴム輪４４を介して密封されるまでキャップ４６を下方向に螺進させる。
【００５７】
これによって、分岐部本体１８の上端開口３４がキャップ４６によって止水（２次止水）され、分岐部本体１８の上端開口３４の止水性が確保されるので、作業を終了する。
【００５８】
以上のように、この実施例では、分岐部本体１８の上端開口３４の周縁部に止水部品３６を押し当てることによって上端開口３４の１次止水を行い、その後で分岐部本体１８の上端開口３４をキャップ４６によって水密的に塞いで２次止水を行うようにしている。
【００５９】
このため、分岐サドル継手１０を用いて不断水分岐を行う場合にも、止水部品３６を分岐部本体１８の上端開口３４の周縁部に押し当てることによって上端開口３４を止水しておけば、本管１００から分岐部本体１８内に流れ込む流入水の内水圧がキャップ４６に作用することを回避した状態でキャップ４６を装着することが可能となる。
【００６０】
したがって、この実施例によれば、分岐部本体１８の上端開口３４にキャップ４６を適切に装着することができるようになり、分岐部本体１８の上端開口３４に確実な止水性を確保することができる。
【００６１】
しかも、プラグ部品２６に嵌合させた止水部品３６を分岐部本体１８の上端開口３４の周縁部に押し当てるだけの簡単な作業によって上端開口３４に止水性を確保できるので、分岐サドル継手１０の構造を簡単化することができ、さらに、上述した特許文献のように止水のためのＯリングが損傷したり止水のための操作負担が増大したりすることがないため、作業性に優れる。
【００６２】
なお、上述の実施例では、分岐部本体１８の上端開口３４の開口端と内面とに亘る範囲に止水部品３６を押し当てて止水を行うようにしたが、これに限定される必要はない。
【００６３】
たとえば、図６に示すように、分岐部本体１８の上端開口３４の開口端にのみ止水部品３６を押し付けて止水を行うようにしてもよい。以下、図１の実施例と同様の部分については、同じ参照番号を用い、その説明を省略或いは簡略化する。
【００６４】
図６と共に図７を適宜参照して、この発明の他の一実施例の分岐サドル継手１０では、止水部品３６の本体３８が、断面矩形のドーナツリング状に形成されるリング部３８ａからなり、リング部３８ａの内面には、プラグ部品２６の第２ねじ部３２と螺合する第３ねじ部４０が形成されている。
【００６５】
このような分岐サドル継手１０において、止水部品３６を用いて分岐部本体１８の上端開口３４の止水を行うときには、上述と同じ要領でプラグ部品２６を下降させて、止水部品３６のリング部３８ａの下面を分岐部本体１８の上端開口３４の開口端の全体、つまり上端開口３４の内周縁から外周縁にかけた範囲に押し当てる。こうすることにより、分岐部本体１８の上端開口３４の開口端と止水部品３６のリング部３８ａの下面との間隙が閉塞されるので、分岐部本体１８の上端開口３４が止水（１次止水）されることとなる。
【００６６】
この実施例においても、止水部品３６を分岐部本体１８の上端開口３４の周縁部に押し当てることによって上端開口３４を止水しておくことによって、本管１００から分岐部本体１８内に流れ込む流入水の内水圧がキャップ４６に作用することを回避した状態でキャップ４６を装着することが可能であるので、図１の実施例と同じように、分岐部本体１８の上端開口３４に確実な止水性を確保することができ、また、作業性にも優れる。
【００６７】
さらにまた、必ずしも上端開口３４の開口端の全体に止水部品３６を押し当てる必要もなく、止水部品３６を少なくとも分岐部本体１８の上端開口３４の内周縁に押し当てるようにしていれば、止水部品３６と上端開口３４の開口端との間隙を閉塞させることは可能であるので、分岐部本体１８の上端開口３４に止水性を確保できると言える。
【００６８】
ただし、図１に示す実施例のように、止水部品３６を分岐部本体１８の上端開口３４の開口端と内面とに亘る範囲に押し付けて止水を行うようにすれば、止水部品３６と分岐部本体１８の上端開口３４の開口端との間隙を閉塞させておくことに加えて、挿入部３８ｂによって非ねじ部２４とプラグ部品２６との間隙も閉塞させることができるので、分岐部本体１８の上端開口３４により高い止水性を確保することが可能になる。
【００６９】
さらに、止水部品３６を分岐部本体１８の上端開口３４の周縁部に押し当てた後、止水部品３６をさらに下降させる（つまり、プラグ部品２６の増し締めを行う）ようにしてもよい。
【００７０】
すなわち、止水部品３６の本体３８を分岐部本体１８よりも硬質な材料で形成するようにしておき、図８に示すように、分岐部本体１８の上端開口３４を止水するときに、止水部品３６を分岐部本体１８の上端開口３４の開口端に押し当てた後、プラグ部品２６をさらに下降させることにより、分岐部本体１８の上端開口３４の周縁部が変形するまで止水部品３６を開口端に圧着させるようにする。こうすることによって、止水部品３６のリング部３８ａの下面と上端開口３４の開口端とをより強固に密着させることができるようになり、また、上端開口３４の変形させた部分を非ねじ部２４とプラグ部品２６との隙間に充填させることもできるので、分岐部本体１８の上端開口３４により高い止水性を確保することができる。
【００７１】
しかも、プラグ部品２６の増し締めを行うことによって、その増し締めした距離にガタ（寸法公差）を吸収させることが可能になる。したがって、寸法公差などにあまり影響を受けずに止水性を確保することが可能になり、厳密な寸法精度を要求せずに分岐サドル継手１０を製造できるようになる。
【００７２】
なお、必ずしも分岐部本体１８の上端開口３４の周縁部を変形させて止水を行うようにする必要はない。図９に示すように、分岐部本体１８の上端開口３４の周縁部を止水部材３６の本体３８よりも硬質な材料で形成しておき、止水部品３６を分岐部本体１８の上端開口３４の開口端に押し当てた後、プラグ部品２６をさらに下降させることにより、止水部品３６の本体３８を変形するまで分岐部本体１８の上端開口３４の開口端に圧着させるようにしてもよい。
【００７３】
また、図１０に示すこの発明のさらに他の一実施例の分岐サドル継手１０では、止水部品３６の本体３８の下側に弾性体５２が設けられる。以下、図６の実施例と同様の部分については、同じ参照番号を用い、その説明を省略或いは簡略化する。
【００７４】
図１０と共に図１１を適宜参照して、止水部材３６は、断面矩形のドーナツリング状に形成された本体３８（リング部３８ａ）と、本体３８の下側に設けられる弾性体５２とを含む。弾性体５２は、合成ゴムまたはエラストマ等によって断面矩形または断面円形のリング状に形成され、本体３８の下面に沿うように設けられる。弾性体５２の内径は、止水部材３６をプラグ部品２６に外嵌させたときに第２ねじ部３２に接触することがないように、本体３８の内径よりも大きく設定され、たとえば３５ｍｍであり、その外径は、たとえば４０ｍｍである。
【００７５】
このような分岐サドル継手１０において、止水部品３６を用いて分岐部本体１８の上端開口３４の止水を行うときには、上述と同じ要領でプラグ部品２６を下降させて、止水部品３６の弾性体５２の下面を分岐部本体１８の上端開口３４の開口端に接触させるようにする。すなわち、本体３８と分岐部本体１８の上端開口３４の開口端との間に弾性体５２を挟み込んで圧縮し、分岐部本体１８の上端開口３４の開口端と止水部品３６の本体３８の下面との間隙を弾性体５２によって水密的に閉塞させる。こうすることにより、分岐部本体１８の上端開口３４が止水（１次止水）されることとなる。
【００７６】
なお、この実施例においても、図１の実施例と同じように、止水部品３６の本体３８をリング部３８ａと挿入部３８ｂとによって構成して、リング部３８ａの下面に弾性体５２を設けるようにしてもよいことは言うまでもない。
【００７７】
また、この実施例では、止水部品３６の本体３８の下側に設けた弾性体５２によって分岐部本体１８の上端開口３４の開口端と止水部品３６の本体３８の下面との間隙を水密的に閉塞させたが、これに限定される必要はなく、分岐部本体１８の上端開口３４の開口端に弾性体５２を設け、それによって分岐部本体１８の上端開口３４の開口端と止水部品３６の本体３８の下面との間隙を水密的に閉塞させるようにしてもよい。
【００７８】
さらに、プラグ部品２６の外面と止水部品３６の本体３８の内面との間に弾性体を介在させるようにしてもよい。
【００７９】
たとえば、図１２に示す実施例では、プラグ部品２６の第２ねじ部３２の上側に、第２ねじ部３２から段差状に少し縮径して窪んだ非ねじ部（ストレート部分）５４が形成されている。また、止水部品３６の本体３８の上端部の内面には、第３ねじ部４０から段差状に少し縮径して突き出した窪んだ非ねじ部（ストレート部分）５６が形成されており、その非ねじ部５６には、合成ゴムまたはエラストマ等によってリング状に形成した弾性体５８が設けられている。非ねじ部５６の突き出し寸法は、非ねじ部５６の窪み寸法よりもやや小さくなるように設定されている。
【００８０】
このような分岐サドル継手１０において、止水部品３６をプラグ部品２６に取り付けるときには、上述と同じ要領で止水部品３６をプラグ部品２６の外面上で下降させて、止水部品３６の非ねじ部５６をプラグ部品２６の非ねじ部５４の上側に配置するとともに、非ねじ部５６に設けられた弾性体５８をプラグ部品２６の非ねじ部５４に接触させるようにする。すなわち、止水部品３６の非ねじ部５６とプラグ部品２６の非ねじ部５４との間に弾性体５８を挟み込んで圧縮し、止水部品３６の内面とプラグ部品２６の外面との間隙を弾性体５８によって水密的に閉塞させる。
【００８１】
こうすることにより、プラグ部品２６の外面と止水部品３６の本体３８の内面との間隙が、第２ねじ部３２および第３ねじ部４０の螺合（ねじ同士の噛み合い）によって閉塞されることに加えて、弾性体５８によって水密的に閉塞されるようになるので、プラグ部品２６と止水部品３６との間隙からの漏水をより確実に防止できるようになる。
【００８２】
なお、分岐部本体１８の上端開口３４の止水性を向上させる止水補助手段として、弾性体５２の代わりに、ポリテトラフルオロエチレンなどからなるシールテープを使用してもよい。
【００８３】
また、プラグ部品２６と止水部品３６との間隙からの漏水を必ずしも弾性体やシールテープによって防止する必要はなく、図１３に示すように、止水部品３６に設けた天面部６０をプラグ部品２６のねじ本体３０の上端面に押し当てるようにしてもよい。
【００８４】
図１３と共に図１４および図１５を適宜参照して、この発明のさらに他の一実施例の分岐サドル継手１０では、止水部品３６の本体３８は、上下に連続するリング部３８ａおよび挿入部３８ｂからなり、それらの内面には、プラグ部品２６の第２ねじ部３２と螺合する第３ねじ部４０が形成されている。
【００８５】
さらに、リング部３８ａの上側には、天面部６０が一体的に形成される。天面部６０は、プラグ部品２６のねじ本体３０の上端面に押し当てるための部位であり、その内周縁がリング部３８ａの内面（つまり、第３ねじ部４０）よりも段差状に内側に突き出すドーナツリング状に形成される。天面部６０の中央部には、プラグ部品２６を上下動させる回転工具１０６を挿通させるための開口６２が形成されている。
【００８６】
このような分岐サドル継手１０において、止水部品３６を用いて分岐部本体１８の上端開口３４の止水を行うときには、上述と同じ要領で本管１００を穿孔した後、プラグ部品２６をその上端部が分岐部本体１８の上端開口３４よりも上方に達する高さ位置まで上昇させ、プラグ部品２６の上端部の外面に止水部品３６を取り付ける。すなわち、止水部品３６の本体３８内にプラグ部品２６のねじ本体３０を差し込んで、第３ねじ部４０および第２ねじ部３２を螺合させることによって、止水部品３６をその天面部６０がプラグ部品２６のねじ本体３０の上端面に押し当たる（接触する）所定位置に取り付ける。
【００８７】
次に、図１６（ａ）に示すように、回動工具１０６の端部を天面部６０の開口６２を通してプラグ部品２６のねじ本体３０の回動工具係合部（図示せず）に挿し込む。それから、回転工具１０６によってプラグ部品２６を回転させることにより、プラグ部品２６を下降させる。そして、図１６（ｂ）に示すように、分岐部本体１８の上端開口３４の開口端に止水部品３６の本体３８の下面を押し当てるとともに、分岐部本体１８内面の非ねじ部２４とプラグ部品２６との間に挿入部３８ｂを挿入して、挿入部３８ｂを非ねじ部２４に押し当てて、止水部品３６と分岐部本体１８の上端開口３４との間隙を閉塞させる。
【００８８】
この実施例によれば、第２ねじ部３２および第３ねじ部４０の螺合に加えて、止水部品３６の天面部６０をプラグ部品２６のねじ本体３０の上端面に押し当てるようにしているので、プラグ部品２６と止水部品３６との間隙をより確実に閉塞させることができる。したがって、分岐部本体１８の上端開口３４により高い止水性を確保することができる。
【００８９】
なお、止水部品３６の天面部６０をプラグ部品２６のねじ本体３０の上端面に押し当てることによってプラグ部品２６と止水部品３６との間隙を閉塞させるのみならず、図示は省略するが、天面部６０の下面に下方に向かって鋭利となるようにされた突起を形成しておき、天面部６０をプラグ部品２６の上端面に押し当てたときにその上端面に突起を食い込ませることによって止水性を向上させるようにしてもよい。
【００９０】
また、図示は省略するが、止水部品３６の本体３８の内面において第３ねじ部４０の上側に非ねじ部を形成しておき、止水部品３６をプラグ部品２６に外嵌させたときに、プラグ部品２６のねじ本体３０の外面の第２ねじ部３２が本体３８の内面の非ねじ部に食い込むようにしてもよい。この場合には、本体３８の内面とねじ本体３０の外面とがより密着することとなるので、分岐部本体１８の上端開口３４の止水性を向上させることができる。
【００９１】
さらにまた、プラグ部品２６の上端部を上方に向かって縮径するテーパ状に形成するとともに、その縮径した部分の径に合わせて止水部品３６の本体３８を形成するようにしてもよい。この場合にも、止水部品３６をプラグ部品２６に外嵌させたときに、止水部品３６を下降させるにしたがって、本体３８の内面とねじ本体３０の外面とがより密着することとなるので、分岐部本体１８の上端開口３４の止水性を向上させることができる。
【００９２】
さらに、図１７に示すこの発明のさらに他の一実施例の分岐サドル継手１０では、分岐部本体１８の上端開口３４の周縁部と止水部材３６とが互いに対応した形状に形成される。
【００９３】
図１７に示すように、分岐部本体１８の上端開口３４の開口端には、上端開口３４の外周縁から内周縁に向かう下り傾斜（傾斜面）を有する第１傾斜部６４が形成される。
【００９４】
また、止水部材３６の本体３８は、断面矩形のドーナツリング状に形成されるリング部３８ａからなり、その内面には、プラグ部品２６の第２ねじ部３２と螺合する第３ねじ部４０が形成されている。さらに、リング部３８ａの下側には、第１傾斜部６４に対応した形状、つまり本体３８の外周縁から内周縁に向かう下り傾斜（傾斜面）を有する第２傾斜部６６が形成される。
【００９５】
このような分岐サドル継手１０において、止水部品３６を用いて分岐部本体１８の上端開口３４の止水を行うときには、上述と同じ要領でプラグ部品２６を下降させて、図１４（ａ）および（ｂ）に示すように、止水部品３６の第２傾斜部６６の傾斜面を分岐部本体１８の上端開口３４の開口端に形成された第１傾斜部６４の傾斜面に沿わせて押し当てる。こうすることにより、止水部品３６の本体３８と上端開口３４の開口端とをより隙間なく密着させることができるようになるので、分岐部本体１８の上端開口３４により高い止水性を確保することが可能となる。
【００９６】
なお、必ずしも分岐部本体１８の上端開口３４および止水部材３６の傾斜部６４，６６の傾斜面同士を接触時に沿わせる必要はない。たとえば、分岐部本体１８の上端開口３４の開口端および止水部材３６の本体３８の下側に互いに対応する形状を有する凹凸を形成しておき、それらが接触時に嵌まり合うようにしてもよい。要は、分岐部本体１８の上端開口３４の周縁部および止水部材３６の下端面の接触部分が互いに対応した形状になるように形成すれば、分岐部本体１８の上端開口３４の止水性を向上させることが可能である。
【００９７】
ところで、上述の各実施例ではいずれも、分岐部本体１８の上端開口３４の１次止水を行うときには、止水部品３６を固定的に（つまり、上下方向に移動しないように）嵌合させた状態でプラグ部品２６を下降させることによって、止水部品３６を分岐部本体１８の上端開口３４の周縁部に押し当てるようにしたが、これに限定される必要はない。
【００９８】
たとえば、プラグ部品２６の外面上で止水部品３６を下降させることによって、止水部品３６を分岐部本体１８の上端開口３４の周縁部に押し当てるようにしてもよい。
【００９９】
図１９に示すように、止水部材３６の本体３８は、断面矩形のドーナツリング状に形成されるリング部３８ａからなり、その内面には、プラグ部品２６の第２ねじ部３２と螺合する第３ねじ部４０が形成されている。さらに、リング部３８ａの上側には、係合部６８が一体的に形成される。係合部６８は、スパナ等の回転工具（図示せず）を係合させるための部位であり、その内面は、リング部３８ａと連続しており、その外面は、回動工具を係合可能な形状、たとえば正六角形状を有している。
【０１００】
このような止水部品３６を用いて分岐部本体１８の上端開口３４の止水を行うときには、上述と同じ要領で本管１００を穿孔した後、プラグ部品２６をその上端部が分岐部本体１８の上端開口３４よりも上方に達する高さ位置まで上昇させ、プラグ部品２６の上端部の外面に止水部品３６を取り付ける。すなわち、止水部品３６の本体３８内にプラグ部品２６のねじ本体３０を差し込んで、第３ねじ部４０および第２ねじ部３２を螺合させる。そして、本体３８の係合部６８に係合させた回転工具によって止水部品３６を回転させることにより、止水部品３６をプラグ部品２６の外面上で下方向に螺進（下降）させて、リング部３８ａの下面を分岐部本体１８の上端開口３４の開口端に押し当て、止水部品３６の本体３８と分岐部本体１８の上端開口３４との間隙を閉塞させる。こうすることにより、分岐部本体１８の上端開口３４が止水（１次止水）されることとなる。
【０１０１】
なお、この実施例においても、図１の実施例と同じように、止水部品３６の本体３８をリング部３８ａと挿入部３８ｂとによって構成してもよいことは言うまでもない。
【０１０２】
また、この実施例のように、本体３８の係合部６８に係合させた回転工具によって止水部品３６を回転させることにより、止水部品３６にプラグ部品２６の外面上を下降させて、本体３８の下面を分岐部本体１８の上端開口３４の開口端に押し当てるのであれば、止水部品３６を必ずしも円筒状ないしリング状に形成する必要はない。
【０１０３】
すなわち、図示は省略するが、本体３８の上端開口を封止する天面を形成し、止水部品３６を有頂円筒状に形成するようにしてもよい。この場合には、止水部品３６の第３ねじ部４０とプラグ部品２６の第２ねじ部３２との隙間から水が漏れ出ることを天面によって確実に防止することができるので、分岐部本体１８の上端開口３４により高い止水性を確保することが可能となる。
【０１０４】
そして、上述のように止水部品３６の天面によって止水部品３６とプラグ部品２６との隙間から水が漏れ出ることを防止しつつ、たとえば止水部品３６の本体３８の下面と分岐部本体１８の上端開口３４の開口端との間に弾性材を介在させるようにするなどして、分岐部本体１８の上端開口３４を１次止水によって適切に止水できるのであれば、分岐部本体１８の上端部にキャップ４６を装着することを省略することも可能である。
【０１０５】
さらにまた、上述の各実施例ではいずれも、分岐部本体１８内面の上端部に第１ねじ部２２と連続する非ねじ部２４を形成したが、これに限定される必要はなく、分岐部本体１８内面の上端まで第１ねじ部２２を形成するようにしてもよい。
【０１０６】
さらに、上述の各実施例ではいずれも、プラグ部品２６の上端部に止水部品３６を取り付ける時に、止水部品３６の第３ねじ部４０とプラグ部品２６の第２ねじ部３２とを螺合させたが、これに限定される必要はない。止水部品３６の本体３８内面に第３ねじ部４０の代わりに第１嵌合部を形成するとともに、プラグ部品２６の上端部外面（第２ねじ部３２の上側）第２嵌合部を形成し、第１嵌合部と第２嵌合部とを嵌合させることによってプラグ部品２６の上端部に止水部品３６を固定するようにしてもよい。
【０１０７】
また、上述の各実施例ではいずれも、プラグ部品２６として、本管１００に分岐サドル継手１０側と連通する開口１０４を穿孔する穿孔工具を適用したが、これに限定される必要はない。穿孔工具によって本管１００に開口１０４を穿孔した後、その穿孔工具を分岐部本体１８内から取り出して、代わりに止水プラグを分岐部本体１８内に配置する場合には、その止水プラグをプラグ部品２６として利用するようにしてもよい。
【０１０８】
さらにまた、上述の各実施例ではいずれも、本管１００ならびに分岐サドル継手１０が、ポリエチレンによって形成されたが、これに限定される必要はなく、本管１００ならびに分岐サドル継手１０をポリプロピレン等の他の合成樹脂によって形成してもよい。
【０１０９】
さらに、上で挙げた寸法などの具体的数値はいずれも単なる一例であり、製品の仕様などの必要に応じて適宜変更可能である。
【符号の説明】
【０１１０】
１０  …分岐サドル継手
１２  …サドル部
１４  …分岐孔
１８  …分岐部本体
２２  …雌ねじ部（第１ねじ部）
２４  …非ねじ部
２６  …プラグ部品
３２  …雄ねじ部（第２ねじ部）
３４  …上端開口
３６  …止水部品
３８  …本体
４０  …雌ねじ部（第３ねじ部）
４６  …キャップ
１００  …本管
１０２  …枝管
【図１】
2014214839.tif 000003
【図２】
2014214839.tif 000004
【図３】
2014214839.tif 000005
【図４】
2014214839.tif 000006
【図５】
2014214839.tif 000007
【図６】
2014214839.tif 000008
【図７】
2014214839.tif 000009
【図８】
2014214839.tif 000010
【図９】
2014214839.tif 000011
【図１０】
2014214839.tif 000012
【図１１】
2014214839.tif 000013
【図１２】
2014214839.tif 000014
【図１３】
2014214839.tif 000015
【図１４】
2014214839.tif 000016
【図１５】
2014214839.tif 000017
【図１６】
2014214839.tif 000018
【図１７】
2014214839.tif 000019
【図１８】
2014214839.tif 000020
【図１９】
2014214839.tif 000021
【図２０】
2014214839.tif 000022